(57)【要約】【課題】  本発明の課題は、和風を代表する障子空間を難燃性の素材で構成することであり、安全性が高く、難燃性が要求される高層建築においても障子空間を創出提供することである。また、障子の格子を全て金属製として難燃化した場合には重量が増え、実用性に欠けるという問題があった。【解決手段】  本願発明の障子風難燃フスマでは、比較的難燃化が容易であるフスマに障子風の絵柄を描くことにより、障子空間の難燃化を図ることができる。また、表装紙を透過性にすることにより更に本物の障子に近づけることができる。【選択図】図１
2019065666.tif 000002
【特許請求の範囲】
【請求項１】
難燃性を有するボ―ドと、
前記ボ−ドの周囲に設けられる難燃性を有する枠材と、
前記ボ―ドの表面を覆う表装部材と、を有し、
前記表装部材は、表面に障子風の格子柄を描いたことを特徴とする障子風難燃フスマ。
【請求項２】
前記表装部材は、透過性を有し、前記障子風の格子柄を描いた面の裏面に絵柄を描いてなる、請求項１記載の障子風難燃フスマ。
【請求項３】
前記表装部材は、透過性を有し、前記表装部材と前記ボ−ドの間に絵柄を描いた第２表装部材を挿入してなる、請求項１記載の障子風難燃フスマ。
【請求項４】
前記第２表装部材は薬品を含浸させることにより、難燃性を保有させたことを特徴とする請求項３記載の障子風難燃フスマ。
【請求項５】
難燃性を有するボ―ドと、
前記ボ―ドの表面を覆い、障子様開孔部を有する障子状パネルと、
前記ボ−ド及び前記障子状パネルの周囲に設けられる難燃性を有する枠材と、を有し、
前記障子状パネルと前記ボ−ドの間に絵柄を描いた第２表装部材を挿入してなることを特徴とする障子風難燃フスマ。
【請求項６】
前記障子状パネルは、難燃性を有する請求項５記載の障子風難燃フスマ。
【発明の詳細な説明】
【技術分野】
【０００１】
本発明は難燃化住宅の生活環境を改善する障子風難燃襖に関するものである。
【背景技術】
【０００２】
特許文献１（実開平２−１３０９８７号公報  ）には、和室の仕切りに用いる防火襖に関する技術が  示されている。
【０００３】
特許文献２（特開平１１−１３１９１２号公報）には、不燃障子及び不燃障子併設のサッシ窓の構成が記載されている。障子自体を不燃化することによって安全性を向上させ、ガラスサッシ窓との密着構成が可能となって、建築コスト削減につながる背景技術が示されている。
【先行技術文献】
【特許文献】
【０００４】
【特許文献１】実開平２−１３０９８７号公報
【特許文献２】特開平１１−１３１９１２号公報
【発明の概要】
【発明が解決しようとする課題】
【０００５】
従来の技術を用いて、難燃性を有した障子空間を創出することは困難であった。金属製の障子枠を用いる等の技術では、重量が極めて大きくなり、実用性に欠けるという欠点があった。
【０００６】
本発明の課題は、和風を代表する障子空間を難燃性もしくは不燃性の素材で構成することであり、安全性が高く、不燃性等が要求される高層建築においても障子空間を創出することである。
【課題を解決するための手段】
【０００７】
本発明は、難燃性を有するボ―ドと、ボ−ドの周囲に設けられる難燃性を有する枠材と、ボ―ドの表面を覆う表装部材と、を有し、表装部材は、表面に障子風の格子柄を描いたことを特徴とするものである。  
【０００８】
また、本発明の表装部材は、透過性を有し、障子風の格子柄を描いた面の裏面に絵柄を描いてなるものである。
【０００９】
また、本発明の表装部材は、透過性を有し、表装部材とボ−ドの間に絵柄を描いた第２表装部材を挿入してなるものである。
【００１０】
また、本発明の第２表装部材は薬品を含浸させることにより、難燃性を保有させたことを特徴とするものである。
【００１１】
また、本発明は、難燃性を有するボ―ドと、ボ―ドの表面を覆い、障子様開孔部を有する障子状パネルと、ボ−ド及び障子状パネルの周囲に設けられる難燃性を有する枠材と、を有し、障子状パネルとボ−ドの間に絵柄を描いた第２表装部材を挿入してなるものである。
【００１２】
また、本発明の障子状パネルは、難燃性を有するものである。
【発明の効果】
【００１３】
本発明の技術を用いることにより、難燃化が要求される高層建築等においても、和風空間を代表する障子空間を創出することができる。
【図面の簡単な説明】
【００１４】
【図１】本発明の障子風難燃フスマの正面図である。（実施例１）
【図２】本発明の障子風難燃フスマの縦断面図である。（実施例１）
【図３】本発明の表装紙表面の絵柄を示す模様図である。（実施例２）
【図４】本発明の表装紙裏面の絵柄を示す模様図である。（実施例２）
【図５】本発明の障子風難燃フスマの縦断面図である。（実施例３）
【図６】本発明の障子風難燃フスマの表装紙の絵柄を示す模様図である。（実施例３）
【図７】本発明の障子風難燃フスマの第２表装紙の絵柄を示す模様図である。（実施例３）
【図８】本発明の障子風難燃フスマの正面図である。（実施例４）
【図９】本発明の障子風難燃フスマの縦断面図である。（実施例４）
【図１０】本発明の障子風難燃フスマの障子状パネルの斜視図である。（実施例４）
【図１１】本発明の障子風難燃フスマの第２表装紙の絵柄を示す模様図である。             （実施例４）
【発明を実施するための形態】
【００１５】
本発明の実施の形態について、以下の実施例１から実施例４において説明を行う。
【実施例１】
【００１６】
以下本発明の実施例１について、図１及び図２を用いて説明する。
【００１７】
図１は本発明の実施例１に係る障子風難燃フスマ１の正面図である。また、図２は実施例１に係る障子風難燃フスマ１の縦断面図である。障子風難燃フスマ１は、ボード２の片面に表装紙３を貼り付け、それらの全周を枠材４で取り囲んで構成されている。
【００１８】
また、下部の枠材４には戸車５が取り付けられており、敷居上での滑りをよくするようになっている。    
【００１９】
ボード２は、ダンボールにアルミ箔を両面から貼り付けたものであり、難燃性を有する材料である。また、不燃材として厚さ１０ｍｍ程度のセッコーボードを使用しても実現可能である。
【００２０】
表装紙３は、障子紙を使用し、表面に障子風の格子柄と遠景風景を描いたものである。
【００２１】
枠材４は、難燃性合成樹脂をＣ型断面となるように押し出し成形したものであり、自己消火性を有する材料である。また、枠材４は、アルミ材を断面形状がＣ型となるように押し出し成形した不燃材を使用することも可能である。
【００２２】
以上のように、ボード２及び枠材４の主要構成材を難燃材料としたため、フスマ全体の難燃化が実現でき、かつ、表装紙の表面に障子風の格子柄と遠景風景を描いたことにより、障子空間の創出が可能となる。
【実施例２】
【００２３】
以下本発明の実施例に２について、図３、図4を用いて説明する。
図３は、本発明の実施例２に係る障子風難燃フスマの表装紙３の表面の絵柄を示す模様図である。図４は、本発明の実施例２に係る障子風難燃フスマの表装紙３の裏面の絵柄を示す模様図である。
【００２４】
表装紙３は障子紙であり、かつ、透過性を有するため、裏面の絵柄が表面に透き通って見え、表面の格子柄の遠景として裏面の風景画を確認することができる。
【００２５】
これにより、この実施例２の障子風難燃フスマを間仕切りとした場合、ほんものの障子空間と同様の空間を創出することができ、かつ、空間の難燃化を容易に実現できる。
【実施例３】
【００２６】
以下本発明の実施例３について、図５、図６、図７を用いて説明する。
図５は、実施例３に係る障子風難燃フスマ１の縦断面図である。図６は、本発明の実施例３に係る障子風難燃フスマ１の表装紙３の絵柄を示す模様図である。図７は、本発明の実施例３に係る障子風難燃フスマ１の第２表装紙６の絵柄を示す模様図である。
【００２７】
図５に示すように、実施例３においては難燃性を有するボード２と表装紙３との間に難燃性を有する第２表装紙６が挿入されており、表装紙３と第２表装紙６とボード２の全周を取り囲むように難燃性の枠材４が設けられている。第２表装紙６は薬品を含浸させることにより紙を難燃化したものである。当該薬品は難燃化溶液であり、珪酸カリウム溶液もしくは珪酸ナトリウム溶液等が好ましい。
【００２８】
表装紙３は透過性を有するため、表面から表装紙３を見たとき、内部の第２表装紙６が透けて見え、障子の格子柄を通して遠景が見えるように見せることができる。
【００２９】
これにより、この実施例３の障子風難燃フスマ１を間仕切りとした場合、間仕切りの向こう側に美しい自然の山・海・川等が在る様に薄く見え、ほんものの障子空間と同様の空間を創出することができ、かつ、空間の難燃化を容易に実現できる。
【００３０】
また、薬品を含浸させた第２表装紙６は表装紙３の内部に設けられるため、第２表装紙６に含浸された人体に有害な薬品が露出せず、安全性が高まるものである。
【実施例４】
【００３１】
以下本発明の実施例４について、図８、図９、図１０、図１１を用いて説明する。
図８は、本発明の実施例４に係る障子風難燃フスマ１の正面図である。図９は、本発明の実施例４に係る障子風難燃フスマ１の縦断面図である。図１０は、本発明の実施例４に係る障子風難燃フスマ１に用いる障子状パネル７の斜視図である。図１1は、本発明の実施例４に係る障子風難燃フスマ１の第２表装紙の絵柄を示す模様図である。
【００３２】
図９に示すように、難燃性を有するボード２に第２表装紙６を合わせ、さらに障子状パネル７をあわせて、それらを難燃材の枠材４で固定している。
障子状パネル７は、図１０に示すように、厚みが２ｍｍのアルミプレートを障子の枠材の様にカットしたものであり、桟以外の部分は障子様開孔部８の孔が開いている。
【００３３】
第２表装紙６は、図１１に示すように、障子紙に絵を描いたものである。
また、第２表装紙６は、樹脂でできた透明パネルに風景画などを印刷したものでも同様の効果を得ることができる。
【００３４】
ボード２に第２表装紙６と障子状パネル７を重ね合わすことで、図８のように、障子の桟木ごしに風景を鑑賞できる障子風難燃フスマ１が構成される。
【００３５】
以上のように、実施例４においては、不燃材であるアルミプレートを障子状パネル７に用いているため、難燃性のボード２及び難燃の枠材４と合わせ、障子風難燃フスマ１が燃えにくいものと成り、難燃性を有する間仕切りにて障子空間を創出することができる。
【００３６】
上記実施例４では、障子状パネル７を格子状に障子様開孔部８を設けたもので説明したが、その障子様開孔部形状に限ったものではなく、欄間の様な種々の障子様開孔部形状を有する障子状パネルとしても同様の効果を奏するものである。
【００３７】
上記実施例４では、障子状パネル７をアルミプレートを切り抜いたもので説明したが、障子状パネル７と第２表装紙は極めて薄いものであり、難燃性を有しない樹脂材等で構成されていても全体の難燃性に与える影響は少ない。
【符号の説明】
【００３８】
１    障子風難燃フスマ
２    ボ−ド
３    表装紙
４    枠材
５    戸車
６    第２表装紙
７    障子状パネル
８    障子様開孔部
【図１】
2019065666.tif 000003
【図２】
2019065666.tif 000004
【図３】
2019065666.tif 000005
【図４】
2019065666.tif 000006
【図５】
2019065666.tif 000007
【図６】
2019065666.tif 000008
【図７】
2019065666.tif 000009
【図８】
2019065666.tif 000010
【図９】
2019065666.tif 000011
【図１０】
2019065666.tif 000012
【図１１】
2019065666.tif 000013
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
難燃性を有するボ―ドと、
前記ボ−ドの周囲に設けられる難燃性を有する枠材と、
前記ボ―ドの表面を覆う表装部材と、を有し、
前記表装部材は障子紙であり、
前記表装部材は、表面に障子風の格子柄を描くとともに、
前記表装部材は、透過性を有し、前記障子風の格子柄を描いた面の裏面に風景画を描いてなる、
障子風難燃フスマ。
【請求項２】
難燃性を有するボ―ドと、
前記ボ−ドの周囲に設けられる難燃性を有する枠材と、
前記ボ―ドの表面を覆う表装部材と、を有し、
前記表装部材は、透過性を有し、前記表装部材と前記ボ−ドの間に風景画を描いた第２表装部材を挿入してなり、
前記表装部材は、難燃性を有せず、かつ、表面に障子風の格子柄を描くとともに、
前記第２表装部材は難燃化溶液を含浸させることにより、難燃性を保有させたことを特徴とする
障子風難燃フスマ。